(57)【特許請求の範囲】
【請求項１】
無端状に巻き掛けられたチェンには、所定の間隔置きに円錐形状のローラを備え、該ローラ上には移動体を載置し、該ローラの回転速度を変化させることにより、該移動体を異なる速度で移動させるものにおいて、
該ローラには平坦部分を有し、該平坦部分にはブラケットを載置し、該ブラケットは該移動体を摺動自在に支持し、該移動体の一端にはガイドレールに案内されるローラを回動自在に備えたことを特徴とする移動体の可変速機構。
【請求項２】
該移動体は動く歩道の手摺であることを特徴とする請求項１に記載の移動体の可変速機構。
【請求項３】
無端状に巻き掛けられたチェンには、所定の間隔置きに円錐形状のローラを備え、該ローラ上にはパレットを載置し、該ローラの回転速度を変化させることにより、該パレットを異なる速度で移動させるものにおいて、
該ローラには平坦部分を有し、該平坦部分には上面にクリートを有する該パレットを載置し、該ローラに対し対向する位置には該パレットの動きを規制する規制装置を備えたことを特徴とする移動体の可変速機構。
【発明の詳細な説明】
【０００１】
【発明の属する技術分野】
本発明は、移動体の可変速機構に関するものである。
【０００２】
【従来の技術】
従来より、動く歩道には大きく分けて、乗客をパレット上に乗せるパレット式と、ゴムベルト上に載せるベルト式の二種類が存在する。
【０００３】
【発明が解決しょうとする課題】
特に、乗降部では毎分３０メートル程度の比較的緩やかな速度で移動し、中間部では高速で移動するような加速式の動く歩道では、パレットや手摺等の移動速度を可変にするのは非常に難しく、今までに提案されているものは非常に複雑な機構を利用しているものが多く、実用性には程遠いものばかりであった。
【０００４】
本発明は、上記の点に鑑みなされたもので、極めて簡単な構成で、移動体を可変速させる機構を提供することを目的とする。
【０００５】
【課題を解決するための手段】
本発明は、
1.無端状に巻き掛けられたチェンには、所定の間隔置きに円錐形状のローラを備え、該ローラ上には移動体を載置し、該ローラの回転速度を変化させることにより、該移動体を異なる速度で移動させるものにおいて、
該ローラには平坦部分を有し、該平坦部分にはブラケットを載置し、該ブラケットは該移動体を摺動自在に支持し、該移動体の一端にはガイドレールに案内されるローラを回動自在に備える。
2.無端状に巻き掛けられたチェンには、所定の間隔置きに円錐形状のローラを備え、該ローラ上にはパレットを載置し、該ローラの回転速度を変化させることにより、該パレットを異なる速度で移動させるものにおいて、
該ローラには平坦部分を有し、該平坦部分には上面にクリートを有する該パレットを載置し、該ローラに対し対向する位置には該パレットの動きを規制する規制装置を備える。
ものである。
【０００６】
【発明の実施の形態】
本発明は、移動体を案内するローラを自在に可変速できる簡単な機構を提案するものである。
【０００７】
【実施例】
以下、本発明の一実施例について、図面を用いて説明する。
図１は本発明をパレット式動く歩道に適用した場合の全体図、図２は図１におけるパレットの可変速機構を示す説明図、図３は図２のＸ−Ｘ線矢視図、図４は図２のＹ−Ｙ線矢視図である。
【０００８】
図中、１は駆動機、２は駆動機１により駆動チェン３ａ，３ｂ及びアイドラースプロケット１ａを介して駆動される駆動スプロケット、４は緊張装置５により矢印の方向に常時力を受けている従動スプロケット、１０は駆動スプロケット１と従動スプロケット４とに無端状に巻き掛けられた移送チェンで、常時一定の速度で移動する。
【０００９】
１１は移送チェン１０に所定の間隔を置いて軸止され、自由に回動しうる、例えば円錐形状のローラ、２０はこのローラ１１上に載置されるパレットで、複数個配設されている。２１，２２はパレット２０を反転させる、例えば８角形状のスプロケットで、それぞれ駆動スプロケット２、従動スプロケット４よりも外方に配置されている。
【００１０】
３０はローラ１１に常時接触するように、パレット２０の走行全域に亘って配設されたレールで、動く歩道の中間部では円錐形の先端寄りに、乗降口付近では円錐形の根元寄りのローラ１１上の箇所に触れるように配置されている。５０はパレット２０の過度の移動を抑制するための規制装置である。
【００１１】
このような装置において、一定の速度で移動する移送チェン１０の円錐形状のローラ１１の先端部分にレール３０が接触する領域、即ち中間部分ではローラ１１が高速で回転、ローラ１１の根元部分にレール３０が接触する領域、即ち乗降口付近ではローラ１１が低速で回転することになるため、このローラ１１上に載っているパレット２０の動きとしては中間部分では高速で移動し、乗降口付近では低速で動くという理想的な動きを行うことになる。
【００１２】
このため、レール３０の配設を図４に示すように、乗降口ではパレット２０の真中寄りに、中間部分に行くほどパレット２０の両端寄りに徐々に配置するようにすれば、何の苦もなく加速式の動く歩道を得ることができる。
【００１３】
ここで、ローラ１１については、前述のような円錐形状ではなく、例えば図５に示すような段付き形状のローラ１１′にして同様の作用を行わせてもよい。即ち、外周の径の異なるローラ１１′ａ，１１′ｂ，１１′ｃ，１１′ｄ，１１′ｅ，１１′ｆを一体に構成し、これに接するレール３０′を３０′ａ，３０′ｂ，３０′ｃ，３０′ｄ，３０′ｅ，３０′ｆのように配置すれば、ローラ１１′上に載っているパレット２０の速度を同様に変化させることができる。
【００１４】
ところで、何れにしろこのままでは速度の速い領域では図３に示すように、パレット２０相互の間隔が開いて間に隙間が生じてしまうため、例えば特許第２８４５７４７号に提案されているようなパレット構造を採用するのも一法である。
【００１５】
即ち、図６（ａ）、（ｂ）に示すように、パレット２１の中空部分２１ａに対してスライド自在にパレット２２が取付けられた伸縮自在なパレット２０’に構成するものである。
【００１６】
次に、図７（ａ），（ｂ）は本発明を動く歩道の移動手摺に適用した場合の一実施例を示す。図７（ｂ）は図７（ａ）のＺ−Ｚ線矢視図である。図中、図１乃至図４と同一のものは同一のものを示す。
【００１７】
６０はブラケット６１を介してローラ１１上に載置される移動手摺で、複数個配置されている。６２は移動手摺６０の一端に設けられたローラ、７０はローラ６２を案内するガイドレールで、移動手摺６０を図に示すとおり例えば突出自在に案内するものである。（もちろん通常の移動手摺のように突出しないように構成してもかまわない）
【００１８】
この場合のローラ１１も前述と同様、段付き形状のようなものにしても同様の作用を果たすことができるのは明らかである。
【００１９】
【発明の効果】
以上述べたように本発明によれば、可変速に移動させたいものが何であれ、それを案内するローラを可変速にすることにより、簡単な構成で移動する物体の速度を極めて自在に変化させることが出来るものである。
【図面の簡単な説明】
【図１】本発明をパレット式動く歩道に適用した場合の全体図である。
【図２】図１におけるパレットの可変速機構を説明するための説明図である。
【図３】図２のＸ−Ｘ線矢視図である。
【図４】図２のＹ−Ｙ線矢視図である。
【図５】本発明のその他の実施例を示す図である。
【図６】本発明に係るパレットの一例を示す拡大図である。
【図７】本発明を動く歩道の移動手摺に適用した場合の一実施例を示す図である。
【符号の説明】
１０  移送チェン
１１、１１′  ローラ
２０、２０’  パレット
３０、３０′  レール
６０  手摺
【図１】
0003627574.tif 000002
【図２】
0003627574.tif 000003
【図３】
0003627574.tif 000004
【図４】
0003627574.tif 000005
【図５】
0003627574.tif 000006
【図６】
0003627574.tif 000007
【図７】
0003627574.tif 000008